【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
予定する活動の種別を示す種別情報を受け付ける受付手段と、
各人の過去の行動の記録である行動情報に基づいて、将来の日又は日時における対象とする領域内にいる人数を予測する予測手段と、
前記受付手段によって受け付けられた活動情報が示す活動が前記領域内で行われる活動の場合は、前記予測手段によって予測された人数が予め定められた閾値よりも多い日又は日時を出力する出力手段と、
を有する情報処理装置。
【請求項２】
予定する活動の種別を示す活動情報を受け付ける受付手段と、
各人の過去の行動の記録である行動情報に基づいて、将来の日又は日時における対象とする領域内にいる人数を予測する予測手段と、
前記受付手段によって受け付けられた活動情報が示す活動が前記領域外で行われる活動の場合は、前記予測手段によって予測された人数が予め定められた閾値よりも少ない日又は日時を出力する出力手段と、
を有する情報処理装置。
【請求項３】
前記出力手段は、前記受付手段によって受け付けられた種別情報が示す活動の種別が複数人の参加によって行われる活動である場合は、該参加する人の過去の行動の記録である行動情報と該人の過去の情報伝達の記録である情報伝達情報を比較して、該人が該活動に参加できる日又は日時を予測し、該予測した日又は日時を該活動を行うには適している日又は日時として出力する
ことを特徴とする請求項１又は２に記載の情報処理装置。
【請求項４】
過去の実績であって、活動が延長された時間、該活動の参加者を示す参加者情報、該活動の種別を示す種別情報、該活動が延長されることを制約する要因の有無を示す延長制約情報を対応させている延長実績情報を記憶する過去実績情報記憶手段と、
第１の活動に参加予定の者が参加しており、該第１の活動の開始時刻よりも前にある第２の活動における終了時刻からの経過時間、該第２の活動に参加する者、該第２の活動の種別、該第２の活動の延長制約の有無に対する前記過去実績情報記憶手段に記憶されている延長実績情報に基づいて、該第２の活動が延長されることによって該第１の活動の開始時刻には出席できなくなる者の人数を算出する算出手段
をさらに具備し、
前記算出手段は、前記受付手段によって受け付けられた種別情報の活動を前記第１の活動として、該第１の活動の開始時刻には出席できなくなる者の人数を算出し、
前記出力手段は、前記算出によって算出された人数が予め定められた人数よりも多い場合は、前記活動の予定を変更する旨を出力する
ことを特徴とする請求項３に記載の情報処理装置。
【請求項５】
過去の実績であって、活動が延長された時間、該活動の参加者を示す参加者情報、該活動の種別を示す種別情報、該活動が延長されることを制約する要因の有無を示す延長制約情報を対応させている延長実績情報を記憶する過去実績情報記憶手段と、
対象としている第１の活動に参加予定の者を示す参加者情報と、該第１の活動の開始時刻を受け付ける受付手段と、
前記受付手段によって受け付けられた参加者情報が示す第１の活動に参加予定の者が参加しており、該第１の活動の開始時刻よりも前にある第２の活動における終了時刻からの経過時間、該第２の活動に参加する者、該第２の活動の種別、該第２の活動の延長制約の有無に対する前記過去実績情報記憶手段に記憶されている延長実績情報に基づいて、該第２の活動が延長されることによって該第１の活動の開始時刻には出席できなくなる者の人数を算出する算出手段と、
前記第１の活動に参加予定の者の数から前記算出手段によって算出された人数を減ずることによって、該第１の活動に参加し得る者の人数を算出する参加者数算出手段
を具備することを特徴とする情報処理装置。
【請求項６】
コンピュータを、
予定する活動の種別を示す種別情報を受け付ける受付手段、
各人の過去の行動の記録である行動情報に基づいて、将来の日又は日時における対象とする領域内にいる人数を予測する予測手段、
前記受付手段によって受け付けられた活動情報が示す活動が前記領域内で行われる活動の場合は、前記予測手段によって予測された人数が予め定められた閾値よりも多い日又は日時を出力する出力手段、
として機能させるための情報処理プログラム。
【請求項７】
コンピュータを、
過去の実績であって、活動が延長された時間、該活動の参加者を示す参加者情報、該活動の種別を示す種別情報、該活動が延長されることを制約する要因の有無を示す延長制約情報を対応させている延長実績情報を記憶する過去実績情報記憶手段、
対象としている第１の活動に参加予定の者を示す参加者情報と、該第１の活動の開始時刻を受け付ける受付手段、
前記受付手段によって受け付けられた参加者情報が示す第１の活動に参加予定の者が参加しており、該第１の活動の開始時刻よりも前にある第２の活動における終了時刻からの経過時間、該第２の活動に参加する者、該第２の活動の種別、該第２の活動の延長制約の有無に対する前記過去実績情報記憶手段に記憶されている延長実績情報に基づいて、該第２の活動が延長されることによって該第１の活動の開始時刻には出席できなくなる者の人数を算出する算出手段、
前記第１の活動に参加予定の者の数から前記算出手段によって算出された人数を減ずることによって、該第１の活動に参加し得る者の人数を算出する参加者数算出手段、
として機能させるための情報処理プログラム。
【手続補正２】
【補正対象書類名】明細書
【補正対象項目名】０００８
【補正方法】変更
【補正の内容】
【０００８】
かかる目的を達成するための本発明の要旨とするところは、次の各項の発明に存する。
請求項１の発明は、予定する活動に関する情報である活動情報を受け付ける受付手段と、各人の過去の行動の記録である行動情報に基づいて、将来の日又は日時における対象とする領域内にいる人数を予測する予測手段と、
前記受付手段によって受け付けられた活動情報が示す活動が前記領域内で行われる活動の場合は、前記予測手段によって予測された人数が予め定められた閾値よりも多い日又は日時を出力する出力手段と、を有する情報処理装置である。
【手続補正３】
【補正対象書類名】明細書
【補正対象項目名】０００９
【補正方法】変更
【補正の内容】
【０００９】
請求項２の発明は、予定する活動に関する情報である活動情報を受け付ける受付手段と、各人の過去の行動の記録である行動情報に基づいて、将来の日又は日時における対象とする領域内にいる人数を予測する予測手段と、
前記受付手段によって受け付けられた活動情報が示す活動が前記領域外で行われる活動の場合は、前記予測手段によって予測された人数が予め定められた閾値よりも少ない日又は日時を出力する出力手段と、を有する情報処理装置である。
【手続補正４】
【補正対象書類名】明細書
【補正対象項目名】００１３
【補正方法】変更
【補正の内容】
【００１３】
請求項６の発明は、コンピュータを、予定する活動に関する情報である活動情報を受け付ける受付手段、各人の過去の行動の記録である行動情報に基づいて、将来の日又は日時における対象とする領域内にいる人数を予測する予測手段、前記受付手段によって受け付けられた活動情報が示す活動が前記領域内で行われる活動の場合は、前記予測手段によって予測された人数が予め定められた閾値よりも多い日又は日時を出力する出力手段、として機能させるための情報処理プログラムである。